(57)【特許請求の範囲】
【請求項１】
建物の外壁を貫通して配置される筒体と、中央に開口が設けられ、前記筒体の屋内側端部に接続されている端板と、を備える枠体と、
前記開口を覆うように前記端板の屋内側の面に取付けられた換気扇ユニットと、
前記開口よりも下側の位置で前記端板の屋内側の面に取付けられて前記端板から屋内側に向かって突出し、前記換気扇ユニットの下に配置されたドレンパンと、
を備え、
前記ドレンパンは、下方から見た場合に、前記換気扇ユニットの少なくとも一部に重なるように配置されていることを特徴とする換気装置。
【請求項２】
一端が前記ドレンパンに接続され、他端が、前記ドレンパンが取付けられている部分よりも下側の位置で前記端板に接続され、前記ドレンパンに設けられた排水口と前記枠体の内部とを連通する排水管をさらに備える、
ことを特徴とする請求項１に記載の換気装置。
【請求項３】
前記筒体の内部の底面のうち前記外壁よりも屋内側に配置される面が、屋内側から屋外側に向かって下る傾斜面を備える、
ことを特徴とする請求項２に記載の換気装置。
【請求項４】
前記換気扇ユニットは、換気扇とフィルタユニットとを有し、
前記換気扇は、前記フィルタユニットを介して前記枠体の前記端板の屋内側の面に取付けられている、
ことを特徴とする請求項１〜３のいずれか１項に記載の換気装置。
【発明の詳細な説明】
【技術分野】
【０００１】
本発明は、換気扇を備える換気装置に関する。
【背景技術】
【０００２】
特許文献１には、換気装置として、建物の外壁を貫通して配置される筒体と筒体の屋内側端部に接続されている端板とを備える枠体と、枠体の端板に設けられた開口を覆うように当該端板に取付けられた換気扇ユニットと、枠体の屋外側端部に取付けられているフードと、で構成される換気装置が開示されている。
【先行技術文献】
【特許文献】
【０００３】
【特許文献１】特開２０１７−７８５５２号公報
【発明の概要】
【発明が解決しようとする課題】
【０００４】
特許文献１に記載の換気装置では、換気扇ユニットが停止しているとき等に、台風の吹き上げ等によって、空気がフードから換気扇ユニットの方に流れ、雨水がフードから枠体を通って換気扇ユニットに到達してしまうことがある。さらに、換気扇ユニットで、結露による水滴が発生することもある。これらの水は、換気扇ユニットから落下し、その下にある屋内の床又は物を濡らしてしまうことがある。
【０００５】
本発明は、換気扇ユニットから落下する水を捕集することが可能な換気装置を提供することを目的とする。
【課題を解決するための手段】
【０００６】
本発明に係る換気装置は、建物の外壁を貫通して配置される筒体と、中央に開口が設けられ、前記筒体の屋内側端部に接続されている端板と、を備える枠体と、前記開口を覆うように前記端板の屋内側の面に取付けられた換気扇ユニットと、前記開口よりも下側の位置で前記端板の屋内側の面に取付けられて前記端板から屋内側に向かって突出し、前記換気扇ユニットの下に配置されたドレンパンと、を備え前記ドレンパンは、下方から見た場合に、前記換気扇ユニットの少なくとも一部に重なるように配置されていることを特徴とする。
【発明の効果】
【０００７】
本発明に係る換気装置によれば、ドレンパンにより、換気扇ユニットから落下する水を受け止め、捕集することができる。
【図面の簡単な説明】
【０００８】
【図１】実施形態に係る換気扇ユニットの断面図である。
【図２】図１の換気扇ユニットの一部の分解斜視図である。
【発明を実施するための形態】
【０００９】
以下、実施の形態に係る換気装置１００について図面を参照して説明する。各図では、各部材の内部構造を適宜省略している。例えば、図１では、シャッター１３０、フィルタユニット１４１、及び、換気扇１４２それぞれの内部構造が省略され、各部材全体に断面を表すハッチングが付されている。また、ウェザーカバー１２０等の内部に設けられる、空気の流れを制御する板材等も省略されている。また、図２では、シャッター１３０のシャッター機構の部分を、ドットを付して表している。
【００１０】
図１に示す換気装置１００は、建物の外壁１０の開口１１を通った状態で外壁１０に固定されている。外壁１０は、例えばＡＬＣ（Autoclaved Lightweight aerated Concrete）パネルにより形成されている。外壁１０の開口１１は、四角形状に形成されている。
【００１１】
換気装置１００は、枠体１１０と、ウェザーカバー１２０と、シャッター１３０と、換気扇ユニット１４０と、取付け部材１５０と、を備える。換気扇ユニット１４０は、フィルタユニット１４１及び換気扇１４２を備える。換気装置１００は、さらに、ドレンパン１７０と、排水管１８０と、を備える。
【００１２】
枠体１１０は、ウェザーカバー１２０及び換気扇ユニット１４０が取り付けられる取付枠として機能する。枠体１１０は、外壁１０を貫通して配置されている筒体１１１と、筒体１１１の屋外側端部に接続され、筒体１１１の屋外側端部から張り出した環状のフランジを構成する屋外側端板１１２と、筒体１１１の屋内側端部に接続され、筒体１１１の屋内側端部から筒体１１１の内側に張り出した環状のフランジを構成する屋内側端板１１３と、を備えている。
【００１３】
ここで、屋内側端板１１３は、図２に示すように、環状の四角形状に形成されており中央に開口１１３Ａが設けられている。同様に、屋外側端板１１２も環状の四角形状に形成されており中央に開口１１２Ａが設けられている。ここで、開口１１３Ａ、開口１１２Ａは、四角形状である。屋内側端板１１３の、開口１１３Ａよりも下側の下部１１３Ｂは、屋内側端板１１３の他の部分よりも、幅広に形成されている。また、屋内側端板１１３により形成されている開口１１３Ａは、屋外側端板１１２により形成されている開口１１２Ａに対して上方にずれている。屋外側端板１１２及び屋内側端板１１３は、ここでは、ステンレス等により筒体１１１と一体に形成されている。例えば、枠体１１０のもととなる筒体の両端部をそれぞれ折り曲げて、屋外側端板１１２及び屋内側端板１１３を形成してもよい。この場合、この折り曲げにより、筒体１１１と、当該筒体１１１に接続された屋外側端板１１２及び屋内側端板１１３と、を含む枠体１１０が形成される。屋外側端板１１２及び屋内側端板１１３は、筒体１１１と別体に形成され、筒体１１１に取付けられることで、筒体１１１に接続されてもよい。
【００１４】
筒体１１１は、外壁１０を貫通した状態で、取付け部材１５０により外壁１０に取付けられている。筒体１１１は、図１及び図２に示すように、断面四角形状である。取付け部材１５０は、上下方向に延びるＬ字鋼からなり、筒体１１１の側面に溶接又はボトル等により取り付けられている。図１に示すように、取付け部材１５０は、ボルトＢ４により外壁１０に固定されている。この固定により換気装置１００が外壁１０に固定される。
【００１５】
図１に示すように、屋外側端板１１２には、ウェザーカバー１２０が屋外側から複数のボルトＢ１及びナットＮ１により取り付けられている。これにより、ウェザーカバー１２０は、屋外側端板１１２の屋外側の面に取り付けられている。ウェザーカバー１２０は、屋外側端板１１２により形成されている開口１１２Ａを覆っており、雨水が枠体１１０ないし屋内に浸入するのを防止する。
【００１６】
屋内側端板１１３の屋内側の面には、開口１１３Ａを覆うように、シャッター１３０及び換気扇ユニット１４０が取付けられている。シャッター１３０及び換気扇ユニット１４０は、上側に配置された複数のボルトＢ２及びナットＮ２と、下側に配置された複数のボルトＢ３及びナットＮ３と、により屋内側端板１１３に屋内側から取り付けられている。具体的に、シャッター１３０と換気扇ユニット１４０のフィルタユニット１４１とが、ボルトＢ２、Ｂ３等により屋内側端板１１３に取り付けられている。換気扇１４２は、不図示のボルト等により、フィルタユニット１４１に取り付けられている。換気扇ユニット１４０は、枠体１１０の外側つまり屋内側に配置されている。
【００１７】
シャッター１３０は、ウェザーカバー１２０から枠体１１０を介して換気扇１４２に繋がる空気の流路を開閉する。換気扇１４２は、屋外の空気を屋内に取り込む有圧換気扇である。フィルタユニット１４１は、シャッター１３０と、シャッター１３０よりも屋内側の換気扇１４２との間に配置されている。フィルタユニット１４１は、換気扇１４２により吸気される空気から埃等を除去する１以上のフィルタと、当該フィルタを収容するケースとを含む。
【００１８】
枠体１１０と外壁１０の開口１１の内壁との間には、隙間が形成されている。この隙間は、シーリング材２１によりシールされている。シーリング材２１は、屋内側のバックアップ材２２によりバックアップされている。
【００１９】
図１及び図２に示すように、屋内側端板１１３の屋外側の面における開口１１３Ａよりも下側の位置、具体的には、屋内側端板１１３の下部１１３Ｂの屋内側の面には、皿状のドレンパン１７０が取り付けられている。ドレンパン１７０は、枠体１１０の外側に配置されており、屋内側端板１１３から屋内側に突出している。ドレンパン１７０は、シャッター１３０及びフィルタユニット１４１とともに、ボルトＢ３及びナットＮ３によって、屋内側端板１１３の下部１１３Ｂに締結されている。ドレンパン１７０は、換気扇ユニット１４０の下、つまり、フィルタユニット１４１及び換気扇１４２の下に配置されている。具体的に、ドレンパン１７０は、下方から見た場合に、フィルタユニット１４１と換気扇１４２とに重なるように構成されている。これにより、ドレンパン１７０は、フィルタユニット１４１、換気扇１４２、及びこれらの境Ｈから後述の水、特に、水滴が落下したときに、当該水を受けて捕集することができる。なお、ドレンパン１７０は、下方から見たときに、換気扇１４２のフィルタユニット１４１側の一部のみと重なっているが、これは、換気扇１４２から落ちる水が、前記一部から落ちてくると想定されているからである。ドレンパン１７０は、下方から見たときに換気扇１４２をすべて覆う形状であってもよい。
【００２０】
ドレンパン１７０は、受けた水滴を排出するための排水口１７１を備える。ドレンパン１７０の底部は、受けた水を排水口１７１に向けて流すように、排水口１７１に向けて下っている。
【００２１】
排水管１８０は、一端がドレンパン１７０に接続され、他端が屋内側端板１１３の下部１１３Ｂに接続され、排水口１７１と枠体１１０の内部とを連通する排水路Ｋを形成している。排水管１８０は、ドレンチューブ１８１と、ニップル１８２と、を備える。ゴムホース等からなるドレンチューブ１８１の一端は、ドレンパン１７０の排水口１７１を形成している下側の円筒部１７２に接続されている。ドレンチューブ１８１の他端は、ニップル１８２に接続されている。ニップル１８２は、屋内側端板１１３の下部１１３Ｂにおけるドレンパン１７０が取り付けられた部分の下側に設けられた貫通孔１１５を貫通して当該下部１１３Ｂに接続されている。ニップル１８２は、本体１８２Ａと抜け止めナット１８２Ｂとを含む。ニップル１８２は、本体１８２Ａが貫通孔１１５に屋内側から挿入され、挿入された本体１８２Ａが下部１１３Ｂの貫通孔１１５の周囲を挟んで抜け止めナット１８２Ｂと螺合することで、下部１１３Ｂに接続されている。ドレンチューブ１８１とニップル１８２とにより、排水口１７１と枠体１１０内とを連通する排水路Ｋが形成されている。排水管１８０は、ドレンパン１７０の排水口１７１からの水を、枠体１１０に流す。
【００２２】
枠体１１０には、当該枠体１１０の内部の底面のうち屋内側端板１１３の下部１１３Ｂに繋がる面、特に、外壁１０よりも屋内側に配置されている面が、屋内側から屋外側に向かって下る傾斜面１１４となっている。このため、排水管１８０により流れてくる水は、傾斜面１１４により、屋外側に流れやすくなっている。
【００２３】
換気装置１００は、ウェザーカバー１２０を備えるが、台風による吹き上げ等により雨水が、ウェザーカバー１２０から枠体１１０内部に進入し、換気扇ユニット１４０のフィルタユニット１４１及び換気扇１４２に到達してしまうことがある。この場合、フィルタユニット１４１及び換気扇１４２には、雨水が貯まってしまい、この雨水は、フィルタユニット１４１及び換気扇１４２に元々設けられている孔、又は、フィルタユニット１３１と換気扇１４２との境Ｈから、水滴等として落下する。また、フィルタユニット１４１及び換気扇１４２に発生した結露に起因する水が、水滴として落下することもある。この実施の形態では、図１の矢印Ｒで示すように、フィルタユニット１４１及び換気扇１４２、つまり、換気扇ユニット１４０から落下する水が、ドレンパン１７０で捕集され、排水管１８０の排水路Ｋを介して、枠体１１０の内部に排出される。枠体１１０の内部に排出された水は、傾斜面１１４を下って、最終的にウェザーカバー１２０内を通って外に排出される。
【００２４】
以上のように、換気装置１００は、建物の外壁１０を貫通して配置される筒体１１１と、中央に開口１１３Ａが設けられ、筒体１１１の屋内側端部に接続されている屋内側端板１１３と、を備える枠体１１０を備える。さらに、換気装置１００は、開口１１３Ａを覆うように屋内側端板１１３の屋内側の面に取付けられた換気扇ユニット１４０と、開口１１３Ａよりも下側の位置で屋内側端板１１３の屋内側の面に取付けられて屋内側端板１１３から屋内側に向かって突出し、換気扇ユニット１４０の下に配置されたドレンパン１７０と、を備える。このような構成により、換気扇ユニット１４０のフィルタユニット１４１及び換気扇ユニット１４０から落下する水は、ドレンパン１７０で受けて捕集されるので、換気扇ユニット１４０から落下した水が屋内の床又は物にまで落ちにくく、換気扇ユニット１４０からの水滴が屋内の床又は物を濡らすことを抑制することができる。また、屋内側端板１１３に、換気扇ユニット１４０とドレンパン１７０を取り付けるので、ドレンパン１７０を容易に形成できる。特に、この実施の形態では、屋内側端板１１３の下部１１３Ｂの上下方向の幅を幅広にしたので、ドレンパン１７０を取り付ける領域を確保でき、ドレンパン１７０を換気扇ユニット１４０の下に配置できた。
【００２５】
また、排水管１８０により、ドレンパン１７０で捕集した水を枠体１１０内に排出することができ、ドレンパン１７０に貯まった水を別途取り除く手間が省ける。
【００２６】
また、枠体１１０の傾斜面１１４により、排水管１８０からの水を屋外側、特にウェザーカバー１２０側に効率良く流すことができる。従って、屋外への排水の効率が上がる。なお、枠体１１０の底面全体を傾斜面としてもよいが、図１のように、筒体１１１のうち、傾斜面１１４よりも屋外側の底面１１６は、外壁１０の開口１１の内壁面に平行つまり水平とするとよい。これにより、当該底面１１６を構成している筒体１１１の底板を開口１１の内壁面に平行にでき、シーリング材２１やバックアップ材２２等のシール機構が形成しやすい。
【００２７】
さらに、ドレンパン１７０は、ボルトＢ３により、シャッター１３０及びフィルタユニット１４１とともに、枠体１１０の屋内側端板１１３に締結されるので、ドレンパン１７０専用の固定具が不要となる。このように、ドレンパン１７０は、ボルトＢ３等の締結具により、換気装置１００の別の部材とともに、枠体１１０の屋内側端板１１３に締結されることで、ドレンパン１７０専用の締結具等が不要となり、換気装置１００の部品点数を少なくできる。ドレンパン１７０は、換気扇ユニット１４０におけるフィルタユニット１４１等の換気扇ユニット１４０を構成する部材、とともに屋内側端板１１３に締結されるとよい。これにより、ドレンパン１７０と換気扇ユニット１４０との施工性を向上させることができる。また、ドレンパン１７０を換気扇ユニット１４０に近づけることができ、換気扇ユニット１４０からの水をドレンパン１７０により精度良く捕集できる。
【００２８】
換気装置１００の構造等は、適宜変更可能である。
【００２９】
例えば、フィルタユニット１４１は、省略してもよい。つまり、換気扇ユニット１４０は、換気扇１４２のみからなってもよい。また、換気扇ユニット１４０は、少なくとも換気扇１４２を備えていればよく、フィルタユニット１４１以外の部材を備えてもよい。換気扇ユニット１４０は、換気扇１４２を含んで、屋内側端板１１３の開口１１３Ａを覆うように、この屋内側端板１１３の屋内側の面に直接又はシャッター１３０等の他の部材を介して取り付けられる一又は複数の装置の組み合わせであればよい。ドレンパン１７０は、排水口１７１を有さなくもよく、排水管１８０も省略してよい。この場合には、ドレンパン１７０に貯まった水を捨てる必要があるが、ドレンパン１７０により、換気扇ユニット１４０から落下した水を捕集でき、当該水が屋内の床等に落下することは防止できる。排水管１８０の他端は、枠体１１０以外のものに接続されてもよい。換気扇１４２は、屋内の空気を屋外に排出する換気扇であってもよい。この場合でも、台風等の風により、雨水が換気扇ユニット１４０に向かって逆流し、換気扇ユニット１４０から水が落下する可能性があるので、ドレンパン１７０を設けることが有効である。雨水の逆流は、例えば、換気扇ユニット１４０が停止しているときなどに生じやすい。ウェザーカバー１２０を省略して、適宜の部材を枠体１１０の屋外側の端部に取付けてもよい。屋内側端板１１３に設けられる開口１１３Ａは、中央であればよく、図２等に示す位置の他、他の位置であってもよい。開口１１３Ａが設けられる「中央」は、屋内側端板１１３の端以外の広い範囲でよい。
【符号の説明】
【００３０】
１０  外壁、１１  開口、２１  シーリング材、２２  バックアップ材、１００  換気装置、１１０  枠体、１１１  筒体、１１２  屋外側端板、１１３  屋内側端板、１１２Ａ，１１３Ａ  開口、１１３Ｂ  下部、１１４  傾斜面、１１５  貫通孔、１１６  底部、１２０  ウェザーカバー、１３０  シャッター、１４０  換気扇ユニット、１４１  フィルタユニット、１４２  換気扇、１５０  取付け部材、１６０  固定部材、１７０  ドレンパン、１７１  排水口、１７２  円筒部、１８０  排水管、１８１  ドレンチューブ、１８２  ニップル、１８２Ａ  本体、１８２Ｂ  抜け止めナット、Ｂ１〜Ｂ４  ボルト、Ｈ  境、Ｋ  排水路、Ｎ１〜Ｎ３  ナット。
【図１】
0006956217.tif 000002
【図２】
0006956217.tif 000003